(57)【要約】【課題】吸収性物品の着用者が自己の健康管理できるよう、健康管理支援に用いられるプログラム、健康管理支援方法、及び健康管理支援システムを提供する。【解決手段】コンピュータに、着用者の膣からの排泄物が付着した吸収性物品の画像を、サーバに送信する送信処理と、前記画像に基づいて得られる前記着用者の健康状態に関する健康情報を、前記サーバから受信する受信処理と、前記健康情報に基づいて、前記着用者の健康状態を示す第１メッセージの表示と、健康状態を改善するための第２メッセージの表示と、を含む健康情報画面を画面に表示させる健康情報表示処理と、を実行させるプログラムである。
2019123628.tif 000002
【特許請求の範囲】
【請求項１】
コンピュータに、  着用者の膣からの排泄物が付着した吸収性物品の画像を、サーバに送信する送信処理と、前記画像に基づいて得られる前記着用者の健康状態に関する健康情報を、前記サーバから受信する受信処理と、  前記健康情報に基づいて、前記着用者の健康状態を示す第１メッセージの表示と、健康状態を改善するための第２メッセージの表示と、を含む健康情報画面を画面に表示させる健康情報表示処理と、  を実行させることを特徴とするプログラム。
【請求項２】
請求項１に記載のプログラムであって、  前記排泄物は経血を含み、  前記着用者の月経開始から所定の日数が経過した際の前記吸収性物品を撮影させるための第３メッセージの表示を、前記画面に表示させる指示表示処理を前記コンピュータに実行させること、  を特徴とするプログラム。
【請求項３】
請求項２に記載のプログラムであって、  前記第３メッセージの表示は、前記月経開始から３日目の夜に着用した前記吸収性物品を、前記月経開始から４日目の朝に撮影させるための表示であること、  を特徴とするプログラム。
【請求項４】
請求項１から３のいずれか１項に記載のプログラムであって、  前記送信処理において、前記着用者に関する着用者情報を前記サーバに更に送信し、  前記健康情報は、前記画像と、前記着用者情報とに基づいて得られること、  を特徴とするプログラム。
【請求項５】
請求項１から３のいずれか１項に記載のプログラムであって、  前記排泄物は経血を含み、  前記吸収性物品が撮影された際の月経に関する月経情報を入力するための入力画面を、前記画面に表示させる入力画面表示処理と、  入力された前記月経情報を受け付ける月経情報受付処理と、を前記コンピュータに実行させ、  前記送信処理において、受け付けられた前記月経情報を前記サーバに更に送信し、  前記健康情報は、前記画像と、前記月経情報とに基づいて得られること、  を特徴とするプログラム。
【請求項６】
請求項１から３のいずれか１項に記載のプログラムであって、  前記排泄物は経血を含み、  前記吸収性物品が撮影された際の月経に関する月経情報を入力するための入力画面を前記画面に表示させる入力画面表示処理と、  入力された前記月経情報を受け付ける月経情報受付処理と、を前記コンピュータに実行させ、  前記送信処理において、前記着用者に関する着用者情報と、受け付けられた前記月経情報とを前記サーバに更に送信し、  前記健康情報は、前記画像と、前記着用者情報と、前記月経情報とに基づいて得られること、  を特徴とするプログラム。
【請求項７】
請求項５または６に記載のプログラムであって、  前記月経情報は、前記吸収性物品が撮影される前に前記着用者が使用した使用済み吸収性物品の枚数を示す情報を含み、  前記入力画面は、前記枚数の入力を促す第４メッセージの表示を含むこと、  を特徴とするプログラム。
【請求項８】
請求項５から７のいずれか１項に記載のプログラムであって、  前記月経情報は、前記吸収性物品に付着した前記経血の色を示す情報を含み、  前記入力画面は、複数の色の表示と、前記吸収性物品に付着した前記経血において最も濃い色を、前記複数の色から選択させる第５メッセージの表示と、を含むこと、  を特徴とするプログラム。
【請求項９】
請求項５から８のいずれか１項に記載のプログラムであって、  前記月経情報は、塊状の前記排泄物の有無を示す情報を含み、  前記入力画面は、塊状の前記排泄物の有無の入力を促す第６メッセージの表示を含むこと、  を特徴とするプログラム。
【請求項１０】
請求項１から９の何れか１項に記載のプログラムであって、  前記吸収性物品が撮影される際に、撮影対象となる前記吸収性物品において経血が付着していない範囲を含めて撮影させるための範囲指示画像を、前記画面に表示させる範囲指示表示処理を、前記コンピュータに実行させること、  を特徴とするプログラム。
【請求項１１】
請求項１から１０の何れか１項に記載のプログラムであって、  前記第１メッセージは、ストレスまたはホルモンバランスに関するメッセージであること、  を特徴とするプログラム。
【請求項１２】
請求項１から１１の何れか１項に記載のプログラムであって、  前記第２メッセージは、摂取すべき栄養に関するメッセージであること、  を特徴とするプログラム。
【請求項１３】
請求項１から１２の何れか１項に記載のプログラムであって、  前記健康情報は、ストレスまたはホルモンバランスに関する情報であり、  前記健康情報に基づいて、前記第１及び前記第２メッセージを示す情報を生成する生成処理を前記コンピュータに実行させること、  を特徴とするプログラム。
【請求項１４】
着用者の膣からの排泄物が付着した吸収性物品の画像を、コンピュータがサーバに送信する送信ステップと、  前記コンピュータから送信される情報に基づいて得られる前記着用者の健康状態に関する健康情報を、前記コンピュータが前記サーバから受信する受信ステップと、  前記健康情報に基づいて、前記着用者の健康状態を示す第１メッセージの表示と、健康状態を改善するための第２メッセージの表示とを含む健康情報画面を、前記コンピュータが画面に表示させる健康情報表示ステップと、  を備える健康管理支援方法。
【請求項１５】
コンピュータシステムであって、  着用者の膣からの排泄物が付着した吸収性物品の画像を、サーバに送信する送信部と、  前記コンピュータから送信される情報に基づいて得られる前記着用者の健康状態に関する健康情報を、前記サーバから受信する受信部と、  前記健康情報に基づいて、前記着用者の健康状態を示す第１メッセージの表示と、健康状態を改善するための第２メッセージの表示とを含む健康情報画面を画面に表示させる健康情報表示処理部と、  を含むことを特徴とするコンピュータシステム。
【発明の詳細な説明】
【技術分野】
【０００１】  本発明は、健康管理支援に用いられるプログラム、健康管理支援方法、及び健康管理支援システムに関する。
【背景技術】
【０００２】  一般に、女性の膣から排泄されるおりものや経血は、健康状態によって変化する。このため、特許文献１に示すように、生理用品に付着した経血を抽出し、生理用品の着用者の健康状態を分析することが行われている。
【先行技術文献】
【特許文献】
【０００３】
【特許文献１】米国特許出願公開第２０１６／０３２４５０６号明細書
【発明の概要】
【発明が解決しようとする課題】
【０００４】  しかしながら、特許文献１に開示された技術では、生理用品に付着した経血等を抽出するための専用の装置が必要となる。このため、利用者は、経血等の情報に基づいて、容易に自己の健康を管理することが困難であった。【０００５】  本発明は、上記のような従来の問題に鑑みてなされたものであって、その目的は、健康管理支援に用いられるプログラム、健康管理支援方法、及び健康管理支援システムを提供することにある。
【課題を解決するための手段】
【０００６】  上記目的を達成するための主たる発明は、コンピュータに、着用者の膣からの排泄物が付着した吸収性物品の画像を、サーバに送信する送信処理と、前記画像に基づいて得られる前記着用者の健康状態に関する健康情報を、前記サーバから受信する受信処理と、前記健康情報に基づいて、前記着用者の健康状態を示す第１メッセージの表示と、健康状態を改善するための第２メッセージの表示と、を含む健康情報画面を画面に表示させる健康情報表示処理と、を実行させるプログラムである。
【発明の効果】
【０００７】  本発明によれば、利用者は、膣からの排泄物の情報に基づいて、容易に自己の健康を管理することができる。
【図面の簡単な説明】
【０００８】
【図１】端末１０及びサーバ１１を説明するための図である。
【図２】本実施形態の健康管理支援方法の流れを説明する図である。
【図３】本実施形態の生理情報処理の詳細を説明する図である。
【図４】ナプキンを撮影する際に画面２３に表示されるメッセージ画像を示す図である。
【図５】ナプキン画像２１０の一例を示す図である。
【図６】生理情報を入力する際に画面２３に表示されるメッセージ画像を示す図である。
【図７】サーバ１１での判定結果の一例を示す図である。
【図８】健康情報画面２７の一例を示す図である。
【発明を実施するための形態】
【０００９】  本明細書及び添付図面の記載により、少なくとも以下の事項が明らかとなる。    コンピュータに、着用者の膣からの排泄物が付着した吸収性物品の画像を、サーバに送信する送信処理と、前記画像に基づいて得られる前記着用者の健康状態に関する健康情報を、前記サーバから受信する受信処理と、前記健康情報に基づいて、前記着用者の健康状態を示す第１メッセージの表示と、健康状態を改善するための第２メッセージの表示と、を含む健康情報画面を画面に表示させる健康情報表示処理と、を実行させるプログラムである。
【００１０】  このようなプログラムによれば、着用者は、健康情報画面に表示される情報に基づいて、自己の健康状態を把握し、改善できるため、容易に自己の健康管理をすることができる。
【００１１】  かかるプログラムであって、前記排泄物は経血を含み、前記着用者の月経開始から所定の日数が経過した際の前記吸収性物品を撮影させるための第３メッセージの表示を、前記画面に表示させる指示表示処理を前記コンピュータに実行させること、が望ましい。
【００１２】  このようなプログラムによれば、着用者は、経血の量が一般的に安定している生理開始から所定の日数が経過した際のナプキン（例えば、生理開始から３日目のナプキン）を撮影できる。このため、精度の高い健康状態に関する情報が利用者に提供される。
【００１３】  かかるプログラムであって、前記第３メッセージの表示は、前記月経開始から３日目の夜に着用した前記吸収性物品を、前記月経開始から４日目の朝に撮影させるための表示であること、が望ましい。
【００１４】  このようなプログラムによれば、着用者は、生理毎に同じタイミングで使用済みナプキンを撮影できる。このため、着用者の健康状態の毎月の推移等の把握が容易となる。
【００１５】  かかるプログラムであって、前記送信処理において、前記着用者に関する着用者情報を前記サーバに更に送信し、前記健康情報は、前記画像と、前記着用者情報とに基づいて得られること、が望ましい。
【００１６】  このようなプログラムによれば、経血等が付着した吸収性物品の画像に加え、着用者に関する問診情報に基づいたアドバイスが、着用者に提供される。このため、健康管理のアドバイスの精度が向上する。
【００１７】  かかるプログラムであって、前記排泄物は経血を含み、前記吸収性物品が撮影された際の月経に関する月経情報を入力するための入力画面を、前記画面に表示させる入力画面表示処理と、入力された前記月経情報を受け付ける月経情報受付処理と、を前記コンピュータに実行させ、前記送信処理において、受け付けられた前記月経情報を前記サーバに更に送信し、前記健康情報は、前記画像と、前記月経情報とに基づいて得られること、が望ましい。
【００１８】  このようなプログラムによれば、経血等が付着した吸収性物品の画像に加え、着用者の生理の情報に基づいたアドバイスが、着用者に提供される。このため、健康管理のアドバイスの精度が向上する  かかるプログラムであって、前記排泄物は経血を含み、前記吸収性物品が撮影された際の月経に関する月経情報を入力するための入力画面を前記画面に表示させる入力画面表示処理と、入力された前記月経情報を受け付ける月経情報受付処理と、を前記コンピュータに実行させ、前記送信処理において、前記着用者に関する着用者情報と、受け付けられた前記月経情報とを前記サーバに更に送信し、前記健康情報は、前記画像と、前記着用者情報と、前記月経情報とに基づいて得られること、が望ましい。
【００１９】  このようなプログラムによれば、経血等が付着した吸収性物品の画像に加え、着用者に関する問診情報と、着用者の生理の情報とに基づいたアドバイスが、着用者に提供される。このため、健康管理のアドバイスの精度が向上する  かかるプログラムであって、前記月経情報は、前記吸収性物品が撮影される前に前記着用者が使用した使用済み吸収性物品の枚数を示す情報を含み、前記入力画面は、前記枚数の入力を促す第４メッセージの表示を含むこと、が望ましい。
【００２０】  このようなプログラムによれば、生理に関する客観的な情報として、着用者の経血の量に応じた使用済み吸収性物品の枚数が、コンピュータに入力される。
【００２１】  かかるプログラムであって、前記月経情報は、前記吸収性物品に付着した前記経血の色を示す情報を含み、前記入力画面は、複数の色の表示と、前記吸収性物品に付着した前記経血において最も濃い色を、前記複数の色から選択させる第５メッセージの表示と、を含むこと、が望ましい。
【００２２】  このようなプログラムによれば、経血等が付着した吸収性物品の画像に加え、経血の色に関する情報が、コンピュータに入力される。このため、経血が付着した吸収性物品の撮影方法、撮影環境、及び吸収性物品の画像の質等に問題がある場合であっても、質の高いアドバイスが着用者に提供される。
【００２３】  かかるプログラムであって、前記月経情報は、塊状の前記排泄物の有無を示す情報を含み、前記入力画面は、塊状の前記排泄物の有無の入力を促す第６メッセージの表示を含むこと、が望ましい。
【００２４】  このようなプログラムによれば、経血等が付着した吸収性物品の画像に加え、塊状の排泄物の有無を示す情報が、コンピュータに入力される。このため、吸収性物品の画像において、塊状の排泄物があるか否かの判別が困難な場合であっても、質の高いアドバイスが着用者に提供される。
【００２５】  かかるプログラムであって、前記吸収性物品が撮影される際に、撮影対象となる前記吸収性物品において経血が付着していない範囲を含めて撮影させるための範囲指示画像を、前記画面に表示させる範囲指示表示処理を、前記コンピュータに実行させること、が望ましい。
【００２６】  このようなプログラムによれば、着用者は、吸収性物品において付着した経血の全体を撮影できる。このため、例えば、吸収性物品に付着した経血の一部だけが画像に撮影されている場合と比較すると、より質の高いアドバイスの提供が可能となる。
【００２７】  かかるプログラムであって、前記第１メッセージは、ストレス、またはホルモンバランスに関するメッセージであること、が望ましい。
【００２８】  このようなプログラムによれば、着用者は、自己のストレスの度合いやホルモンバランスの崩れに関する知見を得ることができる。
【００２９】  かかるプログラムであって、前記第２メッセージは、摂取すべき栄養に関するメッセージであること、が望ましい。
【００３０】  このようなプログラムによれば、着用者は、メッセージ内容に応じた適切な食事をとることにより、自己の健康状態を改善することができる。
【００３１】  かかるプログラムであって、前記健康情報は、ストレス、またはホルモンバランスに関する情報であり、前記健康情報に基づいて、前記第１及び前記第２メッセージを示す情報を生成する生成処理を前記コンピュータに実行させること、が望ましい。
【００３２】  このようなプログラムによれば、メッセージがコンピュータ側で生成されるため、サーバ側での処理、負担を減らすことができる。
【００３３】  着用者の膣からの排泄物が付着した吸収性物品の画像を、コンピュータがサーバに送信する送信ステップと、前記コンピュータから送信される情報に基づいて得られる前記着用者の健康状態に関する健康情報を、前記コンピュータが前記サーバから受信する受信ステップと、前記健康情報に基づいて、前記着用者の健康状態を示す第１メッセージの表示と、健康状態を改善するための第２メッセージの表示とを含む健康情報画面を、前記コンピュータが画面に表示させる健康情報表示ステップと、を備える健康管理支援方法である。
【００３４】  このような方法によれば、着用者は、健康情報画面に表示される情報に基づいて、自己の健康状態を把握し、改善できるため、容易に自己の健康管理をすることができる。
【００３５】  コンピュータシステムであって、着用者の膣からの排泄物が付着した吸収性物品の画像を、サーバに送信する送信部と、前記コンピュータから送信される情報に基づいて得られる前記着用者の健康状態に関する健康情報を、前記サーバから受信する受信部と、前記健康情報に基づいて、前記着用者の健康状態を示す第１メッセージの表示と、健康状態を改善するための第２メッセージの表示とを含む健康情報画面を画面に表示させる健康情報表示処理部と、を含むことを特徴とするコンピュータシステムである。
【００３６】  このようなコンピュータシステムによれば、着用者は、健康情報画面に表示される情報に基づいて、自己の健康状態を把握し、改善できるため、容易に自己の健康管理をすることができる。
【００３７】＝＝＝本実施形態＝＝＝  図１は、端末１０及びサーバ１１を示す図である。端末１０は、スマートフォンやタブレットであり、端末１０には、様々な機能が実現される。また、端末１０は、各種処理を実行することにより、端末１０の画面２３に、端末１０の利用者（以下、単に「利用者」という。）の健康状態に関するアドバイス等を表示させる。
【００３８】  サーバ１１は、ネットワークを介して端末１０に接続された装置であり、端末１０との間で各種情報をやりとりする。
【００３９】  端末１０（コンピュータ）は、記憶部２０、制御部２１、入力部２２、画面２３、及びカメラ２４を有している。
【００４０】  記憶部２０は、端末１０のプロセッサ（不図示）が実行するプログラム３０や、問診データ４０、生理データ５０、画像データ６０，７０〜７６、及び判定データ９０を記憶する。プログラム３０は、利用者の健康管理を支援する際に用いられるプログラムである。
【００４１】  問診データ４０（着用者情報）は、利用者の「問診情報」を示すデータであり、プロフィール、生活習慣、生理・体調に関する情報を含む。ここで、プロフィールに関する情報とは、例えば、利用者の年齢、身長、体重、血液型、子供の有無についての情報であり、生活習慣に関する情報とは、例えば、バランスの取れた食事の取得、良質な睡眠、ストレス解消法に関する情報である。また、生理・体調に関する情報とは、例えば、生理の周期、生理の日数、経血の量、生理痛、生理前の症状に関する情報である。
【００４２】  生理データ５０（月経情報）は、利用者の生理（月経）に関する「生理情報」を示すデータである。
【００４３】  画像データ６０は、利用者（着用者）の経血（膣からの排泄物）が付着した生理用ナプキン（以下、単に「ナプキン（吸収性物品）」という。）の画像を示すデータである。
【００４４】  画像データ７０〜７６のそれぞれは、プログラム３０が実行された際に端末１０の画面２３に適宜表示される画像（メッセージ画像、イラスト画像等）を示すデータである。
【００４５】  判定データ９０（健康情報）は、サーバ１１での処理により得られる、利用者の健康状態に関するデータである。なお、サーバ１１は、所定のプログラムを実行することにより、問診データ４０、生理データ５０、及び画像データ６０に基づいて、利用者の健康状態を判定する。ここで、サーバ１１の記憶部（不図示）には、「画像データ６０」、「生理情報」、「問診情報」に基づいて、利用者の健康状態を医師が判定した結果を示す情報（過去の利用者の蓄積情報）が多く格納されている。そしてサーバ１１は、蓄積情報を用いてパターンマッチング処理等を実行することにより、利用者の健康情報を示す「判定データ９０」を生成する。  なお、ここでは、サーバ１１が処理を実行して判定データ９０を生成することとしたが、これに限られない。例えば、サーバ１１は、問診データ４０、生理データ５０、及び画像データ６０を受信すると、それぞれのデータに基づいて、モニタ （不図示）に、利用者の「問診情報」、「生理情報」、及びナプキン画像２１０を表示する。これらの表示に基づいて、医師が、利用者の健康状態（ストレスやホルモンバランス）について判定を行い、判定データ９０をサーバ１１に入力しても良い。
【００４６】  制御部２１は、端末１０に設けられたプロセッサ（不図示）が、プログラム３０を実行することにより、端末１０に実現される機能ブロックである。制御部２１は、端末１０を統括制御するとともに、各種処理を実行するブロックを複数含む。なお、制御部２１に実現される機能ブロックについての詳細は後述する。
【００４７】  入力部２２には、端末１０の利用者の操作結果が入力される。入力部２２は、端末１０のタッチパネルである画面２３のタップ操作により実現される。
【００４８】  画面２３は、制御部２１からの指令や利用者の操作結果に基づいて各種の情報を表示し、カメラ２４は、撮影によって画像データを取得する。
【００４９】＜＜制御部２１に実現される機能ブロック＞＞  制御部２１は、指示表示処理部１００、範囲指示表示処理部１０１、入力画面表示処理部１０２、生理情報受付処理部１０３、送信部１０４、受信部１０５、生成処理部１０６、及び健康情報表示処理部１０７を含む。
【００５０】  指示表示処理部１００は、利用者に対し、生理開始（月経開始）から２日（所定の日数）経過し、一般に経血の量が安定する３日目の夜に使用されたナプキンを撮影させるためのメッセージ画像（後述）を、画面２３に表示させる処理を行う。
【００５１】  範囲指示表示処理部１０１は、撮影対象となるナプキンにおいて、経血が付着していない範囲（ナプキン表面の余白部分）を含めて撮影させるための範囲指示画像（後述）を、画面２３に表示させる処理を行う。
【００５２】  入力画面表示処理部１０２は、利用者の「生理情報」を入力するための入力画面（後述）を、画面２３に表示させる処理を行い、生理情報受付処理部１０３は、入力された「生理情報」を受け付ける処理を行う。
【００５３】  送信部１０４は、記憶部２０に格納された、問診データ４０、生理データ５０、及び画像データ６０をサーバ１１に送信し、受信部１０５は、サーバ１１から判定データ９０を受信し、記憶部２０に格納する。
【００５４】  生成処理部１０６は、利用者の健康状態に関する判定データ９０に基づいて、利用者の健康状態に関する各種メッセージ画像（後述）を生成する。
【００５５】  健康情報表示処理部１０７は、生成処理部１０６で生成された健康状態に関するメッセージ画像を、画面２３に表示させる処理を行う。
【００５６】＜＜健康管理支援方法＞＞  以下、図２及び図３を参照しつつ、健康管理支援方法の流れを説明する。ここで、プログラム３０は、利用者が端末１０の操作結果により、起動されている。そして、画面２３に表示されたメイン画面（不図示）を、利用者が操作すると、指示表示処理部１００は、図４に示す画像を画面２３に表示させる。
【００５７】  具体的には、指示表示処理部１００は、画像データ７０に基づいて、３日目の夜に使用されたナプキンを撮影させるためのメッセージ画像２００（第３メッセージ）を、画面２３に表示させる（Ｓ１０：指示表示処理）。なお、メッセージ画像２００は、『生理開始から３日目の夜（就寝時）に着用したナプキンを４日目の朝に撮影して下さい。』と表している。一般に、生理開始から３日目の夜において、経血の量は安定している。このため、利用者は、使用済みナプキンを４日目の朝に撮影することにより、判定に適したタイミングの画像を撮影することができる。また、利用者に、毎月同じタイミング（４日目の朝）でナプキンを撮影させることにより、利用者の健康状態の推移が、容易に把握できる。
【００５８】  つぎに、範囲指示表示処理部１０１は、画像データ７１に基づいて、ナプキンの撮影範囲を指示する範囲指示画像２０１を、画面２３に表示させる（Ｓ１１：範囲指示表示処理）。なお、範囲指示画像２０１は、『ナプキン全体が写るようにして下さい。』とのメッセージと、撮影対象のイメージを含んでいる。利用者が、端末１０を操作して、４日目の朝に、３日目の就寝時に着用されたナプキンを撮影すると、図５に示す、経血が付着したナプキンの画像（以下、ナプキン画像２１０）が、画像データ６０として記憶部２０に格納される。
【００５９】  ところで、例えば、利用者が、ナプキンに付着した経血の一部しか撮影しない場合、画像において、判定の際に重要な、経血の色や量に関する情報が少なくなる。しかしながら、本実施形態では、範囲指示画像２０１が表示されるため、利用者に対し、判定に適した画像を撮影されることが可能となる。
【００６０】  図３は、生理情報処理（Ｓ１２）において実行される処理の一例を示すフローチャートであり、図６は、画面２３に表示される入力画面２６の一例である。
【００６１】  まず、入力画面表示処理部１０２は、図６に示すように、画像データ７２に基づいて、生理開始から２日目に使用されたナプキンの枚数の入力を促すメッセージ画像２２０（第４メッセージ）と、使用済み枚数に対応する複数の選択肢の画像２２１と、を画面２３に表示させる（Ｓ２０：入力画面表示処理）。メッセージ画像２２０は、『生理２日目に使ったナプキンの枚数は？』と表しており、画像２２１は、『４枚  ５枚  ６枚』を表している。
【００６２】  そして、利用者が画面２３をタップして、例えば「５枚」を選択すると、生理情報受付処理部１０３は、選択結果を「枚数情報」として受け付ける（Ｓ２１：月経情報受付処理）。
【００６３】  入力画面表示処理部１０２は、画像データ７３に基づいて、ナプキンに付着した経血において最も濃い色を選択させるメッセージ画像２２２（第５メッセージ）と、複数の色を示す画像２２３と、を画面２３に表示させる（Ｓ２２：入力画面表示処理）。なお、メッセージ画像２２２は、『ナプキンに付着した経血の最も濃い色は？』と表しており、画像２２３は、７種類の色３００〜３０６を表している。ここで、画像２２３においては、より右側（色３０６側）に配置された色が濃くなっている。このため、色３００〜３０６のうち、色３００は最も薄い色であり、色３０６は最も濃い色を示している。
【００６４】  そして、利用者が画面２３をタップして、例えば色３０６を選択すると、生理情報受付処理部１０３は、選択結果を「色情報」として受け付ける（Ｓ２３：月経情報受付処理）。
【００６５】  入力画面表示処理部１０２は、画像データ７４に基づいて、塊状の排泄物の有無の入力を促すメッセージ画像２２４（第６メッセージ）と、選択肢を示すメッセージ画像２２５と、を画面２３に表示させる（Ｓ２４：入力画面表示処理）。なお、メッセージ画像２２４は、『レバー状の塊はある？』と表しており、メッセージ画像２２５は、『はい  いいえ』を表している。
【００６６】  そして、利用者が画面２３をタップして、例えば「はい」を選択すると、生理情報受付処理部１０３は、選択結果を「塊情報」として受け付ける（Ｓ２５：月経情報受付処理）。
【００６７】  入力画面表示処理部１０２は、画像データ７５に基づいて、ナプキンのサイズと、経血の拡散状態（面積）の入力を促すメッセージ画像２２６と、それらの情報を入力（選択）させるメッセージ画像２２７と、を画面２３に表示させる（Ｓ２６）。なお、メッセージ画像２２６は、『ナプキンのサイズと、経血が付着した面積の割合は？』と表しており、メッセージ画像２２７は、『大・中・小  〇〇％』を表している。
【００６８】  そして、利用者が画面２３をタップして、例えば「中」を選択するとともに「５０％」を入力すると、生理情報受付処理部１０３は、入力結果を「面積情報」として受け付ける（Ｓ２７）。なお、メッセージ画像２２６は、例えば、『大・中・小  ナプキン全体面積の３０％未満、３０〜５０％未満、５０〜８０％未満、８０％以上』との選択肢を表しても良い。また、例えば、生理情報受付処理部１０３は、利用者が、ナプキン画像２１０の経血の範囲を指でなぞった範囲を、「面積情報」として受け付けても良い。なお、ここでは、ナプキンのサイズが選択されることとしたが、これに限られない。例えば、ナプキンの用途やサイズ（昼用〇〇ｃｍ、夜用○○ｃｍ等）が選択または入力されても良い。
【００６９】  生理情報受付処理部１０３は、受け付けた「枚数情報」、「色情報」、「塊情報」及び「面積情報」を、生理データ５０として記憶部２０に格納する。
【００７０】  処理Ｓ１２が終了すると、送信部１０４は、記憶部２０に格納されている、問診データ４０、生理データ５０、及び画像データ６０を、サーバ１１に送信する（Ｓ１３：送信処理）。サーバ１１は、問診データ４０、生理データ５０、及び画像データ６０を受信すると、それぞれのデータに基づいて、モニタ（不図示）に、利用者の「問診情報」、「生理情報」、及びナプキン画像２１０を表示する。これらの表示に基づいて、サーバ１１は、利用者の健康状態（ストレスやホルモンバランス）について判定を行う。
【００７１】  ここで、サーバ１１は、「生理情報」に含まれる「枚数情報」、「色情報」、「塊情報」及び「面積情報」を参照して判定を行う。「枚数情報」は、利用者の生理開始から２日目の経血の量を、「枚数」として定量的に示す情報であり、「面積情報」も、利用者の経血の量を定量的に示す情報である。このため、これらの情報に基づいて、月経過多と判断される場合には、貧血等の症状の疑いがあると判定される。なお、サーバ１１は、所定のプログラムを実行する際に、使用済みナプキンの「枚数」や経血が付着した実際の範囲（面積）を参照することにより、高い精度で症状の判定を行うことができる。また、経血が付着したナプキンが撮影される際、ナプキンへ照射される光のムラ、光の反射具合、及びカメラ２４の特性等により、画像における色が変化することがある。このため、一般に、ナプキンに付着した経血の色を正確に把握することは困難である。しかしながら、本実施形態では、サーバ１１は、利用者が目視により選択した経血の色に関する「色情報」を参照することができる。このため、サーバ１１に入力される情報が増えるため、より正確に経血の色の判定が可能となる。また、ナプキンに付着した経血の量や色によっては、画像からレバー状の塊が画像中に含まれているか否かを判断することが難しいことがある。本実施形態では、サーバ１１は、レバー状の塊の有無を示す「塊情報」を参照することができるため、判定精度が向上する。
【００７２】  図７は、サーバ１１の「判定結果」の一例を示す図である。サーバ１１は、「ストレス」及び「ホルモンバランス」を定量化し、「判定結果」としてサーバ１１の記憶部（不図示）に記録する。なお、図７において、一点鎖線は利用者の「ストレス」を示し、実線は利用者の「ホルモンバランス」を示す。ここでは、利用者のストレスが少ない程、「ストレス」の値が高くなり、利用者のホルモンバランスが良好である程、「ホルモンバランス」の値が高くなることとする。ここでは、例えば１２月の「ストレス」及び「ホルモンバランス」がサーバ１１により更新される。
【００７３】  そして、サーバ１１は、利用者の健康状態に関する「判定結果」を、判定データ９０として端末１０に送信する。端末１０の受信部１０５は、サーバ１１から判定データ９０を受信したか否かを判定する（Ｓ１４）。サーバ１１が、判定データ９０を受信すると（Ｓ１４：Ｙｅｓ，受信処理）、生成処理部１０６は、判定データ９０に基づいて、利用者に向けたメッセージを示す情報（画像データ７６）を生成する（Ｓ１５：生成処理）。
【００７４】  また、健康情報表示処理部１０７は、処理Ｓ１５で生成された情報に基づいて、図８に示す健康情報画面２７を、画面２３に表示する（Ｓ１６：健康情報表示処理）。ここで、健康情報画面２７は、メッセージ画像２３０〜２３２、及び医師のキャラクター画像２４０を含む。メッセージ画像２３０は、利用者である『Ａさんへのアドバイス』と表している。メッセージ画像２３１（第１メッセージ）は、利用者の健康状態を示し、『ホルモンバランスの乱れが体調不良の原因と考えられます。』と表している。メッセージ画像２３２（第２メッセージ）は、利用者の健康状態を改善するための情報であり、『不足している栄養成分を毎日とるようにしてください。  大豆イソフラボン  ビタミンＥ・葉酸』と表している。このため、利用者は、健康情報画面２７を参照することにより、自身の健康状態を把握することができる。さらに、利用者は、健康情報画面２７を参照し、摂取すべき栄養が把握できるため、自己の健康管理をすることができる。
【００７５】  なお、図８で示すメッセージは一例であり、これらに限られない。例えば、「月経情報」やナプキンの画像から、月経過多と判定された場合、健康状態を示すメッセージ画像２３１は、『月経過多であり、貧血の可能性があります。』となる。このような場合には、『鉄分を補って下さい。』とのメッセージ画像２３２が表示される。
【００７６】  また、例えば、メッセージ画像２３１に、『高いストレスを受けている可能性があります。』と、ストレスに関するメッセージが表される場合がある。このような場合、メッセージ画像２３２は、『ゆっくり深呼吸して下さい。』、『ホットヨガがおすすめです。』、『好きな音楽を聴きましょう。』等、利用者をリラックスさせ、ストレスを軽減するためのアドバイスとなる。このように、メッセージ画像２３１には、利用者の健康状態（ストレス、ホルモン、体調等）が含まれ、メッセージ画像２３２には、健康状態を改善するアドバイス（食事、体調管理、運動、ストレス解消方法等）が含まれる。
【００７７】＝＝＝その他の実施の形態＝＝＝  以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７８】  本実施形態では、生理の際の経血が付着したナプキンを撮影し、ナプキン画像２１０をサーバ１１に送信することとしたが、これに限られない。例えば、生理ではない期間において、ナプキンの着用者の膣から排泄される「おりもの」や「潜血」等の排泄物が付着したナプキンを撮影しても良い。このような場合、「おりもの」が付着されたナプキンの画像がサーバ１１に送信されるため、サーバ１１は、「おりもの」等の情報に基づいて、着用者のストレス等を判定することができる。
【００７９】  また、処理Ｓ１５において、生成処理部１０６が、判定データ９０に基づいて、利用者に向けたメッセージを示す情報を生成したがこれに限られない。例えば、サーバ１１（若しくは医師）が利用者に向けたメッセージを作成しても良い。このような場合、判定データ９０に、利用者へのメッセージ画像２３１，２３２が含まれることになる。したがって、健康情報表示処理部１０７は、判定データ９０に基づいて、健康情報画面２７を、画面２３に表示させても良い。
【００８０】  また、入力画面２６には、塊状の排泄物があるか否かの入力を促すメッセージ画像２２４を表示させているが、これに限られない。例えば、ナプキン画像２１０に基づいて、サーバ１１が、画像処理のプログラムを用いることにより、排泄物に塊状の排泄物があるか否かを判定しても良い。
【００８１】  また、入力画面２６には、ナプキンのサイズ及び経血の領域の割合を指定するためのメッセージ画像２２７を表示させているが、これに限られない。例えば、ナプキン画像２１０に基づいて、サーバ１１が、画像処理のプログラムを用いることにより、経血の割合（全体に占める範囲）を判定しても良い。
【００８２】  また、処理Ｓ１２にあるように、入力画面２６においては、メッセージ画像を順次表示している。しかしながら、例えば、全てのメッセージ画像２２０〜２２７を同じタイミングで画面２３に表示させることとしても良い。
【００８３】  また、入力画面２６では、使用済みナプキンの枚数に対する情報を、選択肢で選択できるようにしているが、これに限られない。例えば、使用済みナプキンの枚数を画面２３で直接入力できるようにしても良い。
【００８４】  また、本実施形態の撮影対象は、着用者が着用した「ナプキン」であるが、例えば、「ライナー」や「おむつ」等の他の吸収性物品であっても良い。
【００８５】  端末１０は、問診データ４０、生理データ５０、及び画像データ６０の３つのデータをサーバ１１に送信することとしたが、これに限られない。例えば、少なくとも画像データ６０が送信されれば良い。このような場合、サーバ１１は、画像データ６０に基づいて、利用者の健康状態を判定する。
【００８６】  また、プログラム３０は、端末１０の記憶部２０に記憶されていることとしたが、例えば、データを記憶する媒体（ＤＶＤ：Ｄｉｇｉｔａｌ  Ｖｅｒｓａｔｉｌｅ  Ｄｉｓｃ）等に格納されており、端末１０のプロセッサ（不図示）が実行しても良い。
【００８７】  また、実行可能なプログラムが記憶された非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ  ａｎ  ｅｘｅｃｕｔａｂｌｅ  ｐｒｏｇｒａｍ  ｔｈｅｒｅｏｎ）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【符号の説明】
【００８８】１０  端末１１  サーバ２０  記憶部２１  制御部２２  入力部２３  画面２４  カメラ２６  入力画面２７  健康情報画面３０  プログラム４０  問診データ５０  生理データ６０，７０〜７６  画像データ９０  判定データ１００  指示表示処理部１０１  範囲指示表示処理部１０２  入力画面表示処理部１０３  生理情報受付処理部１０４  送信部１０５  受信部１０６  生成処理部１０７  健康情報表示処理部２００，２２０，２２２，２２４〜２２７，２３０〜２３２メッセージ画像２２１，２２３  画像２０１  範囲指示画像２１０  ナプキン画像２４０  キャラクター画像
【図１】
2019123628.tif 000003
【図２】
2019123628.tif 000004
【図３】
2019123628.tif 000005
【図４】
2019123628.tif 000006
【図５】
2019123628.tif 000007
【図６】
2019123628.tif 000008
【図７】
2019123628.tif 000009
【図８】
2019123628.tif 000010
【国際調査報告】
2019123628.tif 000011
2019123628.tif 000012
2019123628.tif 000013
2019123628.tif 000014